(57)【特許請求の範囲】
【請求項１】
細長形状を有し、一主面及び前記一主面の反対側の他主面を有するパネル状被梱包物を梱包するための梱包材であって、
前記パネル状被梱包物の前記一主面に沿って配置される第１の主壁部と、
前記第１の主壁部と間隔をおいて対向する第２の主壁部と、
前記第１の主壁部の一方の長辺部と前記第２の主壁部の一方の長辺部とを接続している第１の側壁部と、
前記第１の主壁部の他方の長辺部と前記第２の主壁部の他方の長辺部とを接続している第２の側壁部と、
を備え、
前記第１及び第２の側壁部には、それぞれ、切り込みが設けられており、
前記第１及び第２の側壁部は、それぞれ、前記切り込みにより囲まれた部分が前記第１の主壁部に対して垂直となるように内側に折り曲げられた支持部であって、前記被梱包物の前記他主面を支持する支持部を有し、
前記支持部が、折り曲げられる前の状態において、先端部が対向するように複数設けられている、梱包材。
【請求項２】
前記支持部は、少なくとも一つの折り曲げ部を有する、請求項１に記載の梱包材。
【請求項３】
前記支持部が、前記第１及び第２の側壁部の少なくとも一方に、長手方向に沿って複数設けられている、請求項１または２に記載の梱包材。
【請求項４】
前記パネル状被梱包物が、
太陽電池モジュール本体と、
前記モジュール本体の前記他主面上に設けられた端子ボックスと、
を有する太陽電池モジュールであり、
前記パネル状被梱包物が、前記端子ボックスが前記第２の主壁部側を向くように梱包される、請求項１〜３のいずれか一項に記載の梱包材。
【請求項５】
前記第１の主壁部に沿った一の前記パネル状被梱包物と、前記第２の主壁部に沿った他の前記パネル状被梱包物とが、互いの前記端子ボックス側の主面が対向するように梱包され、
前記支持部が前記一のパネル状被梱包物と前記他のパネル状梱包材との間に位置する、
請求項４に記載の梱包材。
【請求項６】
前記一のパネル状被梱包物の短辺部と前記他のパネル状梱包材の短辺部との間に設けられた第３の梱包材片をさらに備え、
前記パネル状被梱包物は、前記端子ボックスから延びるケーブルをさらに有し、
前記第３の梱包材片には、前記ケーブルが挿入されて固定される開口が設けられている、請求項５に記載の梱包材。
【請求項７】
前記第１の主壁部の短辺部に接続され、スリットを有する端壁部をさらに有し、
前記第２の主壁部には凸部が設けられ、前記凸部が前記スリットに挿入されて係合する、請求項１〜６のいずれか一項に記載の梱包材。
【請求項８】
前記第１の主壁部の短手方向の前記第１の側壁部側の部分と、前記第２の主壁部の短手方向の前記第１の側壁部側の部分と、前記第１の側壁部とを構成している第１の梱包材片と、
前記第１の主壁部の短手方向の前記第２の側壁部側の部分と、前記第２の主壁部の短手方向の前記第２の側壁部側の部分と、前記第２の側壁部とを構成している第２の梱包材片と、
を備える、請求項１〜７のいずれか一項に記載の梱包材。
【発明の詳細な説明】
【技術分野】
【０００１】
本発明は、梱包材に関する。
【背景技術】
【０００２】
従来、特許文献１などにおいて、例えば太陽電池モジュールなどのパネル状被梱包物の梱包材が種々提案されている。
【先行技術文献】
【特許文献】
【０００３】
【特許文献１】特開２００１−３４８０５６号公報
【発明の概要】
【発明が解決しようとする課題】
【０００４】
近年、太陽電池モジュールの薄型化が進んできている。太陽電池モジュールによっては、太陽電池モジュールが自重によって撓むほど薄いものもある。このため、自重によって撓むほど薄く、剛性が低いパネル状被梱包物を好適に梱包できる新規な梱包材が望まれている。
【０００５】
本発明は、パネル状被梱包物を好適に梱包し得る梱包材を提供することを主な目的とする。
【課題を解決するための手段】
【０００６】
本発明に係る梱包材は、細長形状を有し、一主面及び一主面の反対側の他主面を有するパネル状被梱包物を梱包するための梱包材である。本発明に係る梱包材は、第１の主壁部と、第２の主壁部と、第１の側壁部と、第２の側壁部とを備える。第１の主壁部は、パネル状被梱包物の一主面に沿って配置される。第２の主壁部は、第１の主壁部と間隔をおいて対向する。第１の側壁部は、第１の主壁部の一方の長辺部と第２の主壁部の一方の長辺部とを接続している。第２の側壁部は、第１の主壁部の他方の長辺部と第２の主壁部の他方の長辺部とを接続している。第１及び第２の側壁部には、それぞれ、切り込みが設けられている。第１及び第２の側壁部は、それぞれ、支持部を有する。支持部は、切り込みにより囲まれた部分が第１の主壁部に対して垂直となるように内側に折り曲げられてなる。支持部は、被梱包物の他主面を支持する。
【発明の効果】
【０００７】
本発明によれば、パネル状被梱包物を好適に梱包し得る梱包材を提供することができる。
【図面の簡単な説明】
【０００８】
【図１】本発明の一実施形態において梱包される太陽電池モジュールの略図的平面図である。
【図２】本発明の一実施形態において梱包される太陽電池モジュールの略図的裏面図である。
【図３】本発明の一実施形態に係る梱包材の略図的斜視図である。
【図４】本発明の一実施形態に係る梱包材の略図的側面図である。
【図５】本発明の一実施形態に係る梱包材の略図的平面図である。
【図６】本発明の一実施形態に係る梱包材の略図的裏面図である。
【図７】本発明の一実施形態に係る梱包材の略図的展開平面図である。
【図８】本発明の一実施形態に係る梱包材の略図的展開平面図である。
【図９】本発明の一実施形態に係る梱包材の第１の梱包材片の略図的展開裏面図である。
【図１０】変形例に係る梱包材の略図的断面図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１１】
本実施形態では、図１及び図２に示される太陽電池モジュール１を梱包するための梱包材２について説明する。すなわち、本実施形態においては、太陽電池モジュール１が被梱包物である。
【００１２】
太陽電池モジュール１は、細長形状を有するパネルである。具体的には、太陽電池モジュール１は、略矩形状を有するパネルである。すなわち、太陽電池モジュール１は、略矩形状のパネル状被梱包物である。
【００１３】
太陽電池モジュール１は、略矩形状のモジュール本体１０と、枠体１１と、端子ボックス１２とを有する。モジュール本体１０は、太陽電池１３を含む。具体的には、モジュール本体１０は、配線材によって電気的に接続された複数の太陽電池１３を有する。複数の太陽電池１３の一方側には、第１の保護部材が配されている。第１の保護部材は、例えば、ガラス板により構成されている。複数の太陽電池１３の他方側には、第２の保護部材が配されている。第２の保護部材は、例えば、樹脂シート、金属層や無機酸化物層などのバリア層を含む樹脂シートなどにより構成されている。第１の保護部材と第２の保護部材との間には、充填材層が充填されている。この充填材層によって太陽電池１３が封止されている。充填材層は、例えば、エチレン・酢酸ビニル共重合体などの架橋性樹脂やポリオレフィンなどの非架橋性樹脂により構成することができる。
【００１４】
枠体１１は、モジュール本体１０の外側に配されている。具体的には枠体１１は、モジュール本体１０を包囲するように設けられている。枠体１１は、例えば金属により構成されている。
【００１５】
図２に示されるように、端子ボックス１２は、モジュール本体１０の一主面（裏面側の主面）の上に設けられている。端子ボックス１２には、ケーブル１４が接続されている。すなわち、ケーブル１４は、端子ボックス１２から延びている。
【００１６】
太陽電池モジュール１は、例えば長手方向の両端部のみを支持した場合に、長手方向に沿って撓む程度の低い剛性を有している。
【００１７】
図３〜図８に示される梱包材２は、２枚の太陽電池モジュール１ａ、１ｂ（例えば図４を参照）を梱包し得る梱包材である。
【００１８】
梱包材２は、第１の主壁部２１と、第２の主壁部２２と、第１の側壁部２３と、第２の側壁部２４と、第１の端壁部２５と、第２の端壁部２６とを有する。
【００１９】
第１の主壁部２１には、梱包された太陽電池モジュール１ａの端子ボックス１２とは反対側の主面（受光面側の主面）が沿うように設けられている。第１の主壁部２１には、第２の主壁部２２が、梱包された太陽電池モジュール１ａ、１ｂを介して間隔をおいて対向している。第２の主壁部２２には、梱包された太陽電池モジュール１ｂの端子ボックス１２とは反対側の主面（受光面側の主面）が沿うように設けられている。従って、第１の主壁部２１に沿った太陽電池モジュール１ａの端子ボックス１２側の主面（裏面側の主面）と、第２の主壁部２２に沿って太陽電池モジュール１ｂの端子ボックス１２側の主面（裏面側の主面）とは、間隔をおいて対向している。第１の主壁部２１に沿った太陽電池モジュール１ａの端子ボックス１２は、第２の主壁部２２側を向いている。第２の主壁部２２に沿って太陽電池モジュール１ｂの端子ボックス１２は、第１の主壁部２１側を向いている。よって、太陽電池モジュール１ａ、１ｂの、樹脂シートにより構成された第２の保護部材が内側に配されており、ガラス板やセラミック板により構成された第１の保護部材が外側に配されている。
【００２０】
第１の主壁部２１の一方の長辺部と、第２の主壁部２２の一方の長辺部とは、第１の側壁部２３によって接続されている。第１の主壁部２１の他方の長辺部と、第２の主壁部２２の他方の長辺部とは、第２の側壁部２４によって接続されている。第１及び第２の側壁部２３，２４は、それぞれ、梱包された太陽電池モジュール１ａ、１ｂの側方に位置している。
【００２１】
第１の主壁部２１の一方の短辺部と、第２の主壁部２２の一方の短辺部とは、第１の端壁部２５によって接続されている。第１の主壁部２１の他方の短辺部と、第２の主壁部２２の他方の短辺部とは、第２の端壁部２６によって接続されている。
【００２２】
梱包材２は、第１〜第３の梱包材片３１〜３３によって構成されている。図９に第１の梱包材片３１の略図的展開図を示す。なお、第２の梱包材片３２は、第１の梱包材片３１と実質的に同様の形状を有するため、第２の梱包材３２の説明に際しても、図９を援用する。
【００２３】
図９に示されるように、第１の梱包材片３１は、第１〜第３の部分３１ａ〜３１ｃと、２つの第４の部分３１ｄとを有する。第１の部分３１ａは、第１の主壁部２１の短手方向の一方側部分を構成している。第２の部分３１ｂは、第２の主壁部２２の短手方向における一方側部分を構成している。第３の部分３１ｃは、第１の側壁部２３を構成している。２つの第４の部分３１ｄのうちの一方は、第１の端壁部２５の短手方向における一方側部分の厚み方向における一部を構成しており、他方は、第２の端壁部２６の短手方向における一方側部分の厚み方向における一部を構成している。
【００２４】
第４の部分３１ｄは、第１の部分３１ａに接続されている。第４の部分３１ｄと、第２の部分３１ｂとは、第４の部分３１ｄに設けられたスリット３１ｄ１に、第２の部分３１ｂに設けられた凸部３１ｂ１が挿入されて係合することにより固定される。このため、第２の部分３１ｂが下側に向くように載置された場合は、太陽電池モジュール１ａ、１ｂの自重によって、第１の部分３１ａと第２の部分３１ｂとが外れないようになっている。
【００２５】
第２の梱包材片３２は、第１〜第３の部分３２ａ〜３２ｃと、２つの第４の部分３２ｄとを有する。第１の部分３２ａは、第１の主壁部２１の短手方向の他方側部分を構成している。第１の部分３２ａと第１の部分３１ａとは、短手方向において相互に離間している。よって、第１の部分３１ａと第１の部分３２ａとの間から、太陽電池モジュール１ａの一部が露出している。第２の部分３２ｂは、第２の主壁部２２の短手方向における他方側部分を構成している。第２の部分３２ｂは、第２の部分３１ｂと短手方向において離間している。よって、第２の部分３１ｂと第２の部分３２ｂとの間から、太陽電池モジュール１ｂの一部が露出している。第３の部分３２ｃは、第２の側壁部２４を構成している。２つの第４の部分３２ｄのうちの一方は、第１の端壁部２５の短手方向における他方側部分の厚み方向における一部を構成しており、他方は、第２の端壁部２６の短手方向における他方側部分の厚み方向における一部を構成している。第４の部分３２ｄと第４の部分３１ｄとは、短手方向において相互に離間している。
【００２６】
第４の部分３２ｄは、第１の部分３２ａに接続されている。第４の部分３２ｄと、第２の部分３２ｂとは、第４の部分３２ｄに設けられたスリットに、第２の部分３２ｂに設けられた凸部が挿入されて係合することにより固定される。このため、第２の部分３２ｂが下側に向くように載置された場合は、太陽電池モジュール１ａ、１ｂの自重によって、第１の部分３２ａと第２の部分３２ｂとが外れないようになっている。
【００２７】
第１及び第２の端壁部２５，２６のそれぞれは、第４の部分３１ｄ、３２ｄと、第３の梱包材片３３とによって構成されている。第３の梱包材片３３は、第４の部分３１ｄ、３２ｄの内側に配されている。第３の梱包材片３３は、太陽電池モジュール１ａと太陽電池モジュール１ｂとの間に位置している。第３の梱包材片３３と第１の主壁部２１とによって、太陽電池モジュール１ａの両端部が厚み方向に固定されている。第３の梱包材片３３と第２の主壁部２２とによって、太陽電池モジュール１ｂの両端部が厚み方向に固定されている。
【００２８】
第３の梱包材片３３には、ケーブル１４の端部が挿入されて固定される開口３３ａ（図７を参照）が設けられている。具体的には、太陽電池モジュール１ａのケーブル１４が２つの第３の梱包材３３の一方の梱包材３３の開口３３ａに挿入されて固定されており、他方の梱包材３３の開口３３ａに、太陽電池モジュール１ｂのケーブル１４が挿入されて固定されている。このため、梱包された太陽電池モジュール１ａ、１ｂのケーブル１４は、第３の梱包材片３３によって固定される。よって、ケーブル１４を束ねたり、別部材を用いて固定したりする必要が必ずしもない。従って、太陽電池モジュール１ａ、１ｂを容易に梱包することができる。また、太陽電池モジュール１ａ、１ｂの梱包に要する部材を少なくすることができる。
【００２９】
なお、第１〜第３の梱包材片３１〜３３は、例えば段ボールなどの緩衝材により構成することができる。
【００３０】
第１及び第２の側壁部２３，２４には、それぞれ、切り込み４１が設けられている。具体的には、第１及び第２の側壁部２３，２４のそれぞれに、Ｕ字状の切り込み４１が設けられている。第１及び第２の側壁部２３，２４は、それぞれ、切り込み４１により囲まれた部分が主壁部２１，２２に対して垂直となるように内側に折り曲げてなる支持部４２を有する。本実施形態では、折り曲げの線と切り込み４１とで囲われた領域は矩形となる。支持部４２は、太陽電池モジュール１ａと太陽電池モジュール１ｂとの間に設けられている。支持部４２は、被梱包物である太陽電池モジュール１ａ、１ｂの内側の主面を支持している。すなわち、太陽電池モジュール１ａの長辺部は、支持部４２と第１の主壁部２１とによって厚み方向に固定されている。一方、太陽電池モジュール１ｂの長辺部は、支持部４２と第２の主壁部２２とによって厚み方向に固定されている。梱包材２には、このような支持部４２が設けられている。このため、梱包材２を用いることにより、例えば対向する太陽電池モジュール間に他の緩衝材を配置せずとも、剛性が低い太陽電池モジュール１ａ、１ｂを強固に固定することができる。また、支持部４２は、側壁部２３，２４を内側に折り曲げることにより容易に形成できる。従って、太陽電池モジュール１ａ、１ｂを容易に固定することができる。
【００３１】
太陽電池モジュール１ａ、１ｂは、それぞれの端子ボックス１２側の主面が対向するように、梱包材２によって固定される。太陽電池モジュール１ａ、１ｂが撓むと、端子ボックス１２が対向する太陽電池モジュールに衝突し、太陽電池モジュールが損傷する恐れがある。梱包材２を用いることにより、太陽電池モジュールの撓みによる太陽電池モジュールの損傷を防ぐことができる。
【００３２】
図１０に示される梱包材では、支持部４２に少なくとも一つの折り曲げ部４３が設けられている。このため、各支持部４２の剛性が高い。よって、太陽電池モジュール１ａ、１ｂをより強固に固定することができる。
【００３３】
さらに、支持部４２では、切り込み４１により囲まれた部分に複数の支持部４２ａ、４２ｂが設けられている。従って、太陽電池モジュール１ａ、１ｂを厚み方向にさらに強固に固定することができる。支持部４２ａ、４２ｂは、折り曲げる前の状態において、それぞれの先端部が対向するように配される。
【００３４】
梱包材２では、支持部４２が長手方向に沿って複数設けられている。よって、太陽電池モジュール１ａ、１ｂを厚み方向により強固に固定することができる。
【符号の説明】
【００３５】
１、１ａ、１ｂ…太陽電池モジュール
２…梱包材
１０…モジュール本体
１２…端子ボックス
１４…ケーブル
２１…第１の主壁部
２２…第２の主壁部
２３…第１の側壁部
２４…第２の側壁部
２５…第１の端壁部
２６…第２の端壁部
３１…第１の梱包材片
３２…第２の梱包材片
３３…第３の梱包材片
３３ａ…開口
４２、４２ａ、４２ｂ…支持部
４３…折り曲げ部
【図１】
0006015905.tif 000002
【図２】
0006015905.tif 000003
【図３】
0006015905.tif 000004
【図４】
0006015905.tif 000005
【図５】
0006015905.tif 000006
【図６】
0006015905.tif 000007
【図７】
0006015905.tif 000008
【図８】
0006015905.tif 000009
【図９】
0006015905.tif 000010
【図１０】
0006015905.tif 000011